(57)【要約】【課題】短時間で多数枚のメダルを連続挿入することが可能なメダルゲーム機用メダル射出器を提供する。【解決手段】メダル（２）をスライドさせる斜面を有するメダル通路（１１ｃ）と、メダル通路をスライドさせたメダルが落下する位置に、円弧状断面の凸面が対向する状態で取り付けられた２枚のスライドプレート（１２ａ〜１２ｂ）と、スライドプレートの下部に連接して設けられ、スライドプレート上を転動したメダルが収まるメダルガイド（１３ａ〜１３ｂ）と、メダルガイドの底部に設けられたガイドレール（１５）と、を具備することを特徴とする。【選択図】図１
2006304974.tif 000002
【特許請求の範囲】
【請求項１】
メダル（２）をスライドさせる斜面を有するメダル通路（１１ｃ）と、
該メダル通路をスライドさせたメダルが落下する位置に、円弧状断面の凸面が対向する状態で取り付けられた２枚のスライドプレート（１２ａ〜１２ｂ）と、
該スライドプレートの下部に連接して設けられ、前記スライドプレート上を転動したメダルが収まるメダルガイド（１３ａ〜１３ｂ）と、
該メダルガイドの底部に設けられたガイドレール（１５）と、
を具備することを特徴とするメダルゲーム機用メダル射出器。
【請求項２】
前記メダル通路（１１ｃ）、前記スライドプレート（１２ａ〜１２ｂ）、前記メダルガイド（１３ａ〜１３ｂ）、および前記ガイドレール（１５）が、複数組設けられていることを特徴とする請求項１に記載のメダルゲーム機用メダル射出器。
【請求項３】
前記メダル通路（１１ｃ）、前記スライドプレート（１２ａ〜１２ｂ）、前記メダルガイド（１３ａ〜１３ｂ）、および前記ガイドレール（１５）が、
前記メダル通路の斜面と平行な方向で、水平よりは下方向に傾斜していることを特徴とする請求項１乃至請求項２に記載のメダルゲーム機用メダル射出器。
【請求項４】
前記メダル通路（１１ｃ）が、多数枚のメダルを一時に投入できる大きさであることを特徴とする請求項２に記載のメダルゲーム機用メダル射出器。
【発明の詳細な説明】
【技術分野】
【０００１】
本発明は、メダルゲーム機用メダル射出器に関するものである。
【背景技術】
【０００２】
プッシャーゲーム機と呼ばれる多数枚のメダルを使用するゲーム機では、本体内にメダルを射出するためのメダル射出器が設けられている。従来のメダル射出器では、メダルを垂直に整列させた状態にしておいて、メダル一枚分の厚さを持つ投入口に、指で操作してメダルを挿入する方法が主であった（特開２００４−８５０３号公報）。
【０００３】
また、メダルを水平状態のまま指でスライドして、投入口に投入する方法も利用されるようになってきている（特開２００４−２４９１４号公報）。
【特許文献１】特開２００４−８５０３号公報
【特許文献２】特開２００４−２４９１４号公報
【特許文献３】特開２００４−６５５１５号公報
【発明の開示】
【発明が解決しようとする課題】
【０００４】
メダルを垂直に整列させた状態で、投入口に指で操作してメダルを挿入する方法は、投入動作が単調であり、かつ連続投入がしにくい点で改善余地があった。そのために、短時間で多数枚のメダルを連続挿入する必要のあるゲームでは、連続挿入枚数に限界があり、ゲーム内容も自ずと投入操作レベルに見合ったものとなり、ゲーム展開に広がりを持たせることが困難であった。
【０００５】
また、メダルを水平状態のまま指でスライドして投入口に投入する方法でも、メダル一枚程度の厚さの投入口に指で一枚ずつきれいに整列させて投入しないと投入口の手前で２枚のメダルが重なった状態で投入口を塞いでしまい、短時間で多数枚のメダルを連続挿入することが困難であった。
【０００６】
本発明は、上記の問題点に鑑みてなされたもので、短時間で多数枚のメダルを連続挿入することが可能なメダルゲーム機用メダル射出器を提供することを主要な目的とする。
【課題を解決するための手段】
【０００７】
この目的を達成するために、請求項１の発明によるメダルゲーム機用メダル射出器は、メダル（２）をスライドさせる斜面を有するメダル通路（１１ｃ）と、メダル通路をスライドさせたメダルが落下する位置に、円弧状断面の凸面が対向する状態で取り付けられた２枚のスライドプレート（１２ａ〜１２ｂ）と、スライドプレートの下部に連接して設けられ、スライドプレート上を転動したメダルが収まるメダルガイド（１３ａ〜１３ｂ）と、メダルガイドの底部に設けられたガイドレール（１５）と、を具備することを特徴とする。
請求項２の発明によるメダルゲーム機用メダル射出器は、請求項１において、メダル通路（１１ｃ）、スライドプレート（１２ａ〜１２ｂ）、メダルガイド（１３ａ〜１３ｂ）、およびガイドレール（１５）が、複数組設けられていることを特徴とする。
請求項３の発明によるメダルゲーム機用メダル射出器は、請求項１乃至請求項２において、メダル通路（１１ｃ）、スライドプレート（１２ａ〜１２ｂ）、メダルガイド（１３ａ〜１３ｂ）、およびガイドレール（１５）が、メダル通路の斜面と平行な方向で、水平よりは下方向に傾斜していることを特徴とする。
請求項４の発明によるメダルゲーム機用メダル射出器は、請求項２において、メダル通路（１１ｃ）が、多数枚のメダルを一時に投入できる大きさであることを特徴とする。
【発明の効果】
【０００８】
以上のように、本発明のメダルゲーム機用メダル射出器によれば、短時間で多数枚のメダルを連続挿入することが可能となる。
【発明を実施するための最良の形態】
【０００９】
以下、本発明の実施の形態を図面に基づいて説明する。
【実施例１】
【００１０】
図１〜図３は、本発明によるメダルゲーム機用メダル射出器の一実施形態を示す図であり、図１は斜視図、図２は内部構造を示す斜視図、図３は上面図である。図１において、直方体状のベース１４の上部にはメダルトレイ１１が設けられている。メダルトレイ１１の上面に、ほぼ水平の凹部状に形成されたメダル貯留部１１ｂには、メダル２が載せられている。この状態のメダル２はゲームプレイヤーが操作可能であり、ゲームプレイヤーはメダル２を指先で操作して、メダル通路１１ｃに沿って投入口１１ａに導くようにして操作する。メダル通路１１ｃは斜面になっているので、ゲームプレイヤーはメダル２から指を離すことでメダル２は斜面上をスライドして加速された状態で投入口１１ａからメダルゲーム機の内部に投入される。なお、投入口１１ａの高さ幅は、メダル２の１枚〜３枚程度の厚さに設定されている。また、投入口１１ａから投入されたメダル２は、ゲームプレイヤーが操作することは出来ない。
【００１１】
メダル通路１１ｃの斜面の傾斜方向は、スライドプレート１２ａ〜１２ｂの長手方向であり、従って投入口１１ａからメダルゲーム機の内部に投入されたメダル２は、スライドプレート１２ａ〜１２ｂに当接する。スライドプレート１２ａ〜１２ｂは樹脂製または金属製であり、断面がほぼ１／４円弧状となるように形成されている。スライドプレート１２ａ〜１２ｂは円弧状の凸面が対向する状態で取り付けられている。スライドプレート１２ａ〜１２ｂに当接したメダル２は、スライドプレート１２ａ〜１２ｂの円弧面に沿って転動し、水平状態から起立状態（垂直状態）に方向を変えてから、下部に連接して設けられているメダルガイド１３ａ〜１３ｂの間に収まる（図２および図３参照）。
【００１２】
メダルガイド１３ａ〜１３ｂは金属製の板状であり、メダルガイド１３ａ〜１３ｂの間隔は、メダル２のほぼ一枚分の厚さに設定されている。また、メダルガイド１３ａ〜１３ｂの底部には、ガイドレール１５が設けられている。スライドプレート１２ａ〜１２ｂ、メダルガイド１３ａ〜１３ｂ、およびガイドレール１５は、全体が水平よりは図面の左下方向に傾斜した状態でベース１４に取り付けられている。また、メダル通路１１ｃの斜面の傾斜方向、スライドプレート１２ａ〜１２ｂの長手方向、およびメダルガイド１３ａ〜１３ｂの長手方向は、総て互いに平行な方向である。
【００１３】
投入口１１ａの高さ幅がメダル２の１枚〜３枚程度の厚さに設定されているので、投入口１１ａからは１枚〜３枚程度のメダル２がスライドプレート１２ａ〜１２ｂ上に連続的または同時に落下してくる。しかしながら、スライドプレート１２ａ〜１２ｂの断面が円弧状となっていること、かつ水平よりは図面の左下方向に傾斜していることから、スライドプレート１２ａ〜１２ｂに当接した複数枚のメダル２は、スライドプレート１２ａ〜１２ｂの円弧面に沿って図面の左下方向に転動している間に、１枚ずつに分散されてメダルガイド１３ａ〜１３ｂの間に収まる（図２および図３参照）。このようにスライドプレート１２ａ〜１２ｂが機能することにより、短時間に多数枚のメダルを連続挿入することが可能となる。
【００１４】
ガイドレール１５上をメダルガイド１３ａ〜１３ｂに案内されて転動してきたメダル２は、カウンター１６によりカウントされてから、図面の左下方向に存在するプレイフィールド（図示せず）に射出される。
【実施例２】
【００１５】
図４は、本発明によるメダルゲーム機用メダル射出器の実施例２を示す斜視図である。実施例２は、メダル通路１１ｃ、投入口１１ａ、スライドプレート１２ａ〜１２ｂ、メダルガイド１３ａ〜１３ｂ、およびガイドレール１５の組合わせを３組用いた例である。図中、図１〜図３と同じ構成部分には同じ参照番号を付して重複した説明を省略する。
【００１６】
図４の実施例２で特徴的なのは、隣接するスライドプレート１２ａ〜１２ｂを一体にして、断面をほぼ半円状に構成できる点である。上述した実施例１では、隣接するスライドプレート１２ａ〜１２ｂは存在しないので断面がほぼ１／４円弧状に構成されていた。
【００１７】
なお、実施例２は、メダル通路１１ｃ、投入口１１ａ、スライドプレート１２ａ〜１２ｂ、メダルガイド１３ａ〜１３ｂ、およびガイドレール１５の組合わせを３組用いた例であるが、２組や４組以上の組合わせであっても良い。複数組を用いることにより、短時間に多数枚のメダルを連続挿入することが可能となる。
【実施例３】
【００１８】
図５は、本発明によるメダルゲーム機用メダル射出器の実施例３を示す斜視図である。実施例３は、投入口２１ａを格子状に複数個設けた例である。図中、図１〜図３と同じ構成部分には同じ参照番号を付して重複した説明を省略する。
【００１９】
図５は、投入口２１ａを格子状に１２個設けた例を示している。実施例２のように、メダル通路１１ｃ、投入口１１ａ、スライドプレート１２ａ〜１２ｂ、メダルガイド１３ａ〜１３ｂ、およびガイドレール１５の組合わせを３組用いた場合には、スライドプレート１２ａ〜１２ｂ上に一度に多数枚が投入されても、１枚ずつに分散されてメダルガイド１３ａ〜１３ｂの間に収まることから、投入口２１ａを格子状に１２個設けて一度に多数枚を投入可能にしている。これにより、
短時間に多数枚のメダルを連続挿入することが可能となる。
【００２０】
なお、図５では投入口２１ａを格子状に複数個設けた例として説明したが、例えば５〜６枚のメダル２を一時に投入できる大きさの投入口２１ａを１つ設けるようにしても良い。ただし、スライドプレート１２ａ〜１２ｂ、メダルガイド１３ａ〜１３ｂ、およびガイドレール１５の組合わせで処理できる枚数に、投入口２１ａの大きさは制限すべきである。
【産業上の利用可能性】
【００２１】
本発明は、アーケードゲーム機で利用可能な技術を提示している。
【図面の簡単な説明】
【００２２】
【図１】メダルゲーム機用メダル射出器を示す斜視図である。（実施例１）
【図２】メダルゲーム機用メダル射出器を示す斜視図である。（実施例１）
【図３】メダルゲーム機用メダル射出器を示す上面図である。（実施例１）
【図４】メダルゲーム機用メダル射出器を示す斜視図である。（実施例２）
【図５】メダルゲーム機用メダル射出器を示す斜視図である。（実施例３）
【符号の説明】
【００２３】
２    メダル
１１    メダルトレイ
１１ａ  投入口
１１ｂ  メダル貯留部
１１ｃ  メダル通路
１２ａ  スライドプレート
１３ａ  メダルガイド
１４    ベース
１５    ガイドレール
１６    カウンター
２１ａ  投入口
【図１】
2006304974.tif 000003
【図２】
2006304974.tif 000004
【図３】
2006304974.tif 000005
【図４】
2006304974.tif 000006
【図５】
2006304974.tif 000007